(57)【特許請求の範囲】
【請求項１】
底蓋（2）、基座（1）、中筒（3）、螺旋筒（4）、芯柱（5）及び上蓋（6）から構成される複数の化粧品を収納する化粧品収納缶において、
前記基座（1）は円柱筒状の筒壁で形成されており、前記筒壁の上端から軸方向に沿ってスリット状の複数の滑溝（11）が開設され、前記筒壁の下端側の外壁にスプライン（12）が形成されており、
前記底蓋（2）は底を有する円筒で形成されており、前記円筒の開放端側の内壁に凹溝（22）が形成されており、前記円筒の底側の内壁にスプライン（21）が形成されており、
前記中筒（3）は円柱筒状の筒体で形成されており、前記筒体の外壁の中部にボタン（31）が配置されており、前記筒体の上下両端の外壁にそれぞれに上鉤（32）及び下鉤（33）が形成されており、
前記螺旋筒（4）は円柱筒状の筒体で形成されており、前記筒体の一端の内壁に径方向に接合部（43）が形成されており、前記接合部（43）に欠口（42）が形成され、前記螺旋筒（4）の内壁に螺旋溝（41）が形成され、前記螺旋溝（41）の開始端は前記欠口（42）に位置し、
前記芯柱（5）は、複数の中空体（54）により構成される円柱体であり、前記各中空体（54）の外弧面に軌道（51）が形成され、前記軌道（51）にスライダー（52）が嵌入され、前記スライダー（52）と中空体（54）の外弧面より内側にある外壁との間にスプリング（53）が配置されており、
前記上蓋（6）は蓋を有する円筒で形成されており、前記円筒の開口側の内壁に凹溝（61）が形成されており、前記円筒の蓋に近い側にリブ（62）が配置されており、
前記化粧品収納缶の組立時又は搬送時における、前記底蓋（2）、基座（1）、中筒（3）、螺旋筒（4）、芯柱（5）及び上蓋（6）の配置関係は以下のとうりである、
前記底蓋（2）のスプライン（21）を前記基座（1）のスプライン（12）に嵌合させることにより、前記基座（1）が底蓋（2）内に挿入され、
前記中筒（3）の下鉤（33）が前記底蓋（2）内の凹溝（22）に嵌まることにより、前記底蓋（2）が前記中筒（3）に連結され、
前記螺旋筒（4）の欠口（42）を前記中筒（3）のボタン（31）に対応させて、前記螺旋筒（4）を取付ける中筒（3）が基座（1）を包囲し、
前記螺旋筒（4）が前記中筒（3）内に挿入されかつ前記基座（1）を包囲し、
前記芯柱（5）の各スライダー（52）を前記基座（1）の各滑溝（11）内に対応するよう配置することにより、前記芯柱（5）が前記基座（1）内に挿入され、
前記上蓋（6）が前記螺旋筒（4）を取り付けた前記中筒（3）上に配置され、前記上蓋（6）の凹溝（61）が前記中筒（3）の上鉤（32）に嵌まることにより、前記上蓋（6）が前記中筒（3）に連結される
ことを特徴とする化粧品収納缶。
【発明の詳細な説明】
【技術分野】
【０００１】
本発明は、化粧品技術分野の包装ケースに関し、特には複数の化粧品の収納缶に関する。
【背景技術】
【０００２】
従来のアイシャドー、口紅、頬紅等の化粧品収納缶は、機能が単一で、異なる化粧品を使用する必要がある時、一々携帯し使用され、消費者に携帯及び使用の不便を引き起こし、且つコストを増加させていた。
【発明の概要】
【発明が解決しようとする課題】
【０００３】
本発明の目的は、従来の技術の不足に対して、収納缶内に多種の異なる化粧品を貯蔵でき、消費者の選択及び使用を便利にし、その構造が簡単で、携帯及び使用が便利になる複数の化粧品の収納缶を提供することである。
【課題を解決するための手段】
【０００４】
本発明の目的を実現するために、本発明の具体的な構成は以下のとおりである。
本発明の複数の化粧品の収納缶は、基座、底蓋、中筒、螺旋筒、芯柱及び上蓋を含み、前記基座が円柱筒状であり、その筒壁の上端に軸方向に沿って複数の滑溝を開設し、下端の外壁にスプラインが配置され、底蓋が底有り円筒であり、その筒口の内径方向に凹溝が配置され、内壁にスプラインが配置され、中筒が円柱筒状であり、その筒体の中部にボタンが配置され、筒体の上下両端の外壁にそれぞれに上鉤及び下鉤が配置され、螺旋筒が円柱筒状であり、その一端の内壁に径方向に接合部が配置され、接合部に欠口が配置され、螺旋筒の内壁に螺旋溝が配置され、螺旋溝の開始端が欠口に位置し、芯柱が複数の中空体により構成される円柱体であり、複数の中空体の外弧面上にそれぞれ軌道が配置され、軌道にスライダーを嵌入し、スライダーと中空体の外壁との間にスプリングが配置され、上蓋が蓋有り円筒であり、その筒口の内径方向に凹溝が配置され、内壁にリブが配置され、基座が底蓋内に嵌装され、螺旋筒が中筒内に嵌装され、且つ螺旋により外筒上の欠口を中筒のボタンに対応させ、螺旋筒を取付する中筒が基座に外嵌するとともに、中筒の下鉤が底蓋内の凹溝に嵌接され、芯柱が基座内に嵌装され、且つ複数のスライダーが基座上の各滑溝内に対応に配置され、上蓋が螺旋筒を取り付けた中筒上に配置され、その内部の凹溝が中筒の上鉤に嵌接されることを特徴とする複数の化粧品の収納缶である。
かくして、本発明の複数の化粧品の収納缶は、一つの収納缶内に一括に多種の異なる化粧品を貯蔵でき、消費者の選択及び使用を便利にし、構造が簡単で、携帯及び使用が便利になる長所がある。
【図面の簡単な説明】
【０００５】
【図１】本発明の複数の化粧品の収納缶の分解斜視図である。
【図２】本発明の複数の化粧品の収納缶の基座の斜視図である。
【図３】本発明の複数の化粧品の収納缶の底蓋の斜視図である。
【図４】本発明の複数の化粧品の収納缶の中筒の斜視図である。
【図５】本発明の複数の化粧品の収納缶の螺旋筒の斜視図である。
【図６】図5のA--A断面図である。
【図７】本発明の複数の化粧品の収納缶の芯柱の分解斜視図である。
【図８】本発明の複数の化粧品の収納缶の上蓋の斜視図である。
【図９】図８のB-B断面図である。
【図１０】本発明の第１実施例による芯柱の中空体の断面図である。
【図１１】本発明の第２実施例による芯柱の中空体の断面図である。
【図１２】本発明の第３実施例による芯柱の中空体の断面図である。
【発明を実施するための形態】
【０００６】
図2を参照すると、本発明の基座1が円柱筒状であり、その筒壁の上端に軸方向に沿って複数の滑溝11が配置され、筒壁の下端の外側にスプライン12が配置される。
図3を参照すると、本発明の底蓋2が底有り円筒であり、その筒口の内径方向に凹溝22が配置され、内壁にスプライン21が配置される。
図4を参照すると、本発明の中筒3が円柱筒状であり、その筒体の中部にボタン31を配置し、筒体の上下両端にそれぞれ上鉤32及び下鉤33が配置される。
図5及び図6を参照すると、本発明の螺旋筒4が円柱筒状であり、その一端の内壁に径方向に接合部43が配置され、接合部43に欠口42が配置され、螺旋筒4の内壁に螺旋溝41が配置され、螺旋溝41の開始端が欠口42に位置する。
図7を参照すると、本発明の芯柱5が複数の中空体54により構成される円柱体であり、複数の中空体54の外弧面上に軌道51が配置され、軌道51にスライダー52が嵌入され、スライダー52と中空体54の外壁との間にスプリング53を配置している。
図8及び図9を参照すると、本発明の上蓋6が蓋有り円筒であり、その筒口の内径方向に凹溝61が配置され、内壁にリブ62が配置される。
図10、図11及び図12を参照すると、本発明の芯柱5にある中空体54数が必要により設定され、中空体54内に化粧品、例えば、口紅、アイシャドー、頬紅等をそれぞれ配置している。
【０００７】
本発明の複数の化粧品の収納缶の使用方法を以下説明する。
（ａ）：上蓋を開ける。
中筒3を把握し、上蓋6を軸方向に向かって抜き、上蓋6内にある凹溝61が中筒3の上鉤32から離脱させ、且つ上蓋6が抜き出す。
（ｂ）：所要の化粧品を選定する。
底蓋2を把握し、中筒3を回転させる。基座1のスプライン12が底蓋2のスプライン21内に嵌装され、基座1と底蓋2とが相対回動できなく、螺旋筒4が中筒3の円柱筒内に嵌装固定されて相対回動できないため、中筒3が底蓋2に相対して回転する時、螺旋筒4が同期に基座1相に対して回転し、回動の過程中で、スライダー52が螺旋筒4の接合部43内に位置し、螺旋筒4にある欠口42がスライダー52に合わせる時、スプリング53による作用下で、スライダー52が滑溝11内で外に付勢され、且螺旋筒4の欠口42内に嵌入され、この時、スライダー52の対応する芯柱5における中空体54が選定され、即ち、所要の化粧品が選定される。他のものを選択したい場合、中筒3上のボタン31を押え付けることにより、ボタン31によりスライダー52がスプリング53の弾力を強制に克服させ、滑溝11内で螺旋筒4の接合部43内に退く。引き続き中筒3を回転し、左に回転したり右に回転したりすることで、その他のスライダー52の対応する中空体54、即ち、他の化粧品を選定できる。
（ｃ）：選定の化粧品を回転して出す。
化粧品が選定される時、中筒3上にあるボタン31を釈放し、中筒3を引き続き左或は右に回転させ、即ち、選定の化粧品が螺旋筒4内から回り出し或は縮み戻ることを実現できる。その作動過程が以下のように行う。この時、滑溝11内のスライダー52が螺旋筒4の欠口42内に嵌入され、中筒3が回転させる時、螺旋筒4が同期に回転する。螺旋筒4の内壁上に螺旋溝41が配置され、且つ螺旋溝41の開始端が欠口42にドッキングし、螺旋筒4が回転する時、螺旋溝41の法線方向にスライダー52に作用力を加え、該力の方向と基座1の滑溝11の方向とは一つの夾角があり、この力でスライダー52を滑溝11内に軸方向に強制に移動させ、螺旋筒4の回転方向、即ち、スライダー52の移動方向を変更し、スライダー52が軌道51により芯柱5の中空体54を軸方向に移動駆動させることで、選定の化粧品が螺旋筒4内から回り出し或は縮み戻ることを実現できる。
（ｄ）：上蓋を閉める。
使用された後、芯柱5の中空体54を縮み戻させ、上蓋6を螺旋筒4を取り付けた中筒3上に外嵌させる。その内部の凹溝61と中筒3の上鉤32とが嵌接する。この時、上蓋6内壁のリブ62が基座1の筒壁にある滑溝11内に嵌入し、本収納缶が正常の状態で外力の作用を受ける時に芯柱5の固定を保証できる。
【図１】
0005779307.tif 000002
【図２】
0005779307.tif 000003
【図３】
0005779307.tif 000004
【図４】
0005779307.tif 000005
【図５】
0005779307.tif 000006
【図６】
0005779307.tif 000007
【図７】
0005779307.tif 000008
【図８】
0005779307.tif 000009
【図９】
0005779307.tif 000010
【図１０】
0005779307.tif 000011
【図１１】
0005779307.tif 000012
【図１２】
0005779307.tif 000013